【手続補正書】
【提出日】平成29年6月5日(2017.6.5)
【手続補正１】
【補正対象書類名】特許請求の範囲
【補正対象項目名】全文
【補正方法】変更
【補正の内容】
【特許請求の範囲】
【請求項１】
爪先部と該爪先部より暗く見える非爪先部と、を有する爪を含む指の画像を取得する画像取得部と、
前記画像を構成する複数の画素の、前記指の長さ方向に沿って互いに隣接する２つの前記画素間の輝度値の差を示す輝度差分データを取得する輝度差分データ演算部と、
前記輝度差分データに基づいて、前記爪の前記指の長さ方向の先端側の端部の位置を取得する長さ方向爪端部位置取得部と、
を備え、
前記長さ方向爪端部位置取得部は、
前記輝度差分データが、前記爪先部の明るさと前記非爪先部との明るさとの差に対応する値及び変化を示す位置を基準位置として検出し、
前記輝度差分データにおける、前記基準位置より前記爪の先端側にある極値の位置に基づいて、前記爪の先端側の端部の位置を取得する、
ことを特徴とするネイルプリント装置。
【請求項２】
前記長さ方向爪端部位置取得部は、
前記輝度差分データにおける、前記基準位置よりも前記指の根元側にある極値の位置に基づいて、前記爪の根元側の端部の位置を取得することを特徴とする請求項１に記載のネイルプリント装置。
【請求項３】
前記長さ方向爪端部位置取得部は、
前記輝度差分データにおける、前記基準位置より前記爪の先端側にあって、前記輝度差分データが所定の閾値を越える値を有している極値の位置に基づいて、前記爪の先端側の端部の位置を取得し、
前記輝度差分データにおける、前記基準位置よりも前記指の根元側にあって、前記輝度差分データが所定の閾値を越える値を有している極値の位置に基づいて、前記爪の根元側の端部の位置を取得することを特徴とする請求項２に記載のネイルプリント装置。
【請求項４】
前記長さ方向爪端部位置取得部は、
前記基準位置よりも前記指の先端側に、前記極値が２つ以上存在する場合、前記基準位置に最も近い位置にある前記極値の位置に基づいて、前記爪の先端側の端部の位置を取得することを特徴とする請求項３に記載のネイルプリント装置。
【請求項５】
前記画像を構成する複数の画素の、前記指の幅方向に沿った前記各画素の輝度値を輝度データとして取得する幅方向輝度データ取得部と、
前記輝度データに基づき、前記指の幅方向の前記爪の幅方向の一方の端部の位置と前記爪の幅方向の他方の端部の位置を取得する幅方向爪端部位置取得部と、
を備え、
前記幅方向爪端部位置取得部は、
前記輝度データにおける、前記爪の幅方向中央より前記一方の端部との間で最も輝度の低い位置を前記爪の幅方向の一方の端部の位置として取得し、
前記輝度データにおける、前記爪の幅方向中央より前記他方の端部との間で最も輝度の低い位置を前記爪の幅方向の他方の端部の位置として取得することを特徴とする請求項１乃至４のいずれかに記載のネイルプリント装置。
【請求項６】
前記長さ方向爪端部位置取得部により取得される前記爪の前記先端側の端部の位置及び前記根元側の端部の位置と、前記幅方向爪端部位置取得部により取得される前記爪の幅方向の一方の端部の位置及び前記爪の幅方向の他方の端部の位置と、に基づいて前記爪の領域全体の形状を取得することを特徴とする請求項５に記載のネイルプリント装置。
【請求項７】
設定されたデザイン画像の画像データを、前記取得された前記爪の領域全体の形状に基づいて補正して生成された描画データにより、前記爪に描画を施す描画部を備えることを特徴とする請求項６に記載のネイルプリント装置。
【請求項８】
爪先部と該爪先部より暗い色を有する非爪先部と、を有する爪を含む指の画像を取得する画像取得ステップと、
前記画像を構成する複数の画素の、前記指の長さ方向に沿って互いに隣接する２つの前記画素間の輝度値の差を示す輝度差分データを取得する輝度差分データ演算ステップと、
前記輝度差分データに基づき、前記爪の前記指の長さ方向の先端側の端部の位置を取得する長さ方向爪端部位置取得ステップと、
を含み、
前記長さ方向爪端部位置取得ステップは、
前記輝度差分データが、前記爪先部の明るさと前記非爪先部との明るさとの差に対応する値及び変化を示す位置を基準位置として検出し、
前記輝度差分データにおける、前記基準位置より前記爪の先端側にある極値の位置に基づいて、前記爪の先端側の端部の位置を取得することを特徴とするネイルプリント装置の動作制御方法。
【請求項９】
コンピュータに、
爪先部と該爪先部より暗い色を有する非爪先部と、を有する爪を含む指の画像を取得させ、
前記画像を構成する複数の画素の、前記指の長さ方向に沿って互いに隣接する２つの前記画素間の輝度値の差を示す輝度差分データを取得させ、
前記輝度差分データに基づき、前記爪の前記指の長さ方向の先端側の端部の位置を取得させ、
前記長さ方向爪端部位置の取得において、
前記輝度差分データが、前記爪先部と前記非爪先部との明るさの差に対応する変化を示す位置を基準位置として検出させ、
前記輝度差分データにおける、前記基準位置より前記爪の先端側にある極値の位置に基づいて、前記爪の先端側の端部の位置を取得させることを特徴とするネイルプリント装置の動作制御プログラム。
【手続補正２】
【補正対象書類名】明細書
【補正対象項目名】０００８
【補正方法】変更
【補正の内容】
【０００８】
本発明は、以下の構成によって把握される。
本発明のネイルプリント装置は、爪先部と該爪先部より暗く見える非爪先部と、を有する爪を含む指の画像を取得する画像取得部と、前記画像を構成する複数の画素の、前記指の長さ方向に沿って互いに隣接する２つの前記画素間の輝度値の差を示す輝度差分データを取得する輝度差分データ演算部と、前記輝度差分データに基づいて、前記爪の前記指の長さ方向の先端側の端部の位置を取得する長さ方向爪端部位置取得部と、を備え、前記長さ方向爪端部位置取得部は、前記輝度差分データが、前記爪先部の明るさと前記非爪先部との明るさとの差に対応する値及び変化を示す位置を基準位置として検出し、前記輝度差分データにおける、前記基準位置より前記爪の先端側にある極値の位置に基づいて、前記爪の先端側の端部の位置を取得する、ことを特徴とする。
【手続補正３】
【補正対象書類名】明細書
【補正対象項目名】０００９
【補正方法】変更
【補正の内容】
【０００９】
本発明のネイルプリント装置の動作制御方法は、爪先部と該爪先部より暗い色を有する非爪先部と、を有する爪を含む指の画像を取得する画像取得ステップと、前記画像を構成する複数の画素の、前記指の長さ方向に沿って互いに隣接する２つの前記画素間の輝度値の差を示す輝度差分データを取得する輝度差分データ演算ステップと、前記輝度差分データに基づき、前記爪の前記指の長さ方向の先端側の端部の位置を取得する長さ方向爪端部位置取得ステップと、を含み、前記長さ方向爪端部位置取得ステップは、前記輝度差分データが、前記爪先部の明るさと前記非爪先部との明るさとの差に対応する値及び変化を示す位置を基準位置として検出し、前記輝度差分データにおける、前記基準位置より前記爪の先端側にある極値の位置に基づいて、前記爪の先端側の端部の位置を取得することを特徴とする。
【手続補正４】
【補正対象書類名】明細書
【補正対象項目名】００１０
【補正方法】変更
【補正の内容】
【００１０】
本発明のネイルプリント装置の動作制御プログラムは、コンピュータに、爪先部と該爪先部より暗い色を有する非爪先部と、を有する爪を含む指の画像を取得させ、前記画像を構成する複数の画素の、前記指の長さ方向に沿って互いに隣接する２つの前記画素間の輝度値の差を示す輝度差分データを取得させ、前記輝度差分データに基づき、前記爪の前記指の長さ方向の先端側の端部の位置を取得させ、前記長さ方向爪端部位置の取得において、前記輝度差分データが、前記爪先部と前記非爪先部との明るさの差に対応する変化を示す位置を基準位置として検出させ、前記輝度差分データにおける、前記基準位置より前記爪の先端側にある極値の位置に基づいて、前記爪の先端側の端部の位置を取得させることを特徴とする。